(57)【特許請求の範囲】
【請求項１】
複数のユーザの端末と、ユーザ間の相性診断を実行するサーバとが、電気通信回線網を介して接続している相性診断システムのサーバ・システムであって、
相性診断に用いる相性診断データを記憶する相性診断データ記憶手段を有し、
ユーザの端末からの送信要求に応じて、相性診断のための情報を入力させる情報入力画面を送信し、該情報入力画面に入力された相性診断のための情報を該ユーザの端末から受信する相性診断情報取得手段と、
前記受信した相性診断のための情報をもとに前記ユーザの相性診断データを生成し、前記相性診断データ記憶手段に格納する相性診断データ生成手段と、
前記ユーザに相性診断の相手方ユーザの電子メールアドレスを少なくとも１つ入力させるメールアドレス入力画面を該ユーザの端末に送信し、該メールアドレス入力画面に入力された相手方ユーザのメールアドレスを前記ユーザの端末から受信する相手方メールアドレス取得手段と、
前記ユーザの識別情報を付加した、相性診断のための情報入力画面のＵＲＬを少なくとも記載した相性診断勧誘メールを生成し、前記受信した相手方ユーザのメールアドレス宛に送信する相性診断勧誘メール送信手段と、
相手方ユーザの端末から前記ユーザの識別情報を付加したＵＲＬによる、相性診断のための情報を入力させる情報入力画面の送信要求があると、相性診断のための情報を入力させる情報入力画面及び新たな相手方のメールアドレスを入力させるメールアドレス入力画面を該相手方ユーザの端末に送信し、該情報入力画面に入力された該相手方ユーザの相性診断のための情報を該相手方ユーザの端末から受信し、前記相性診断のための情報をもとに前記相手方ユーザの相性診断データを生成し、前記相性診断データ記憶手段に格納した後、前記相性診断データ記憶手段に記憶している前記ユーザの相性診断データ及び前記相手方ユーザの性格診断データをもとに前記ユーザと前記相手方ユーザとの相性診断を実行し、その結果を前記ユーザ及び前記相手方ユーザの端末にそれぞれ通知する相性診断実行手段と
を備えることを特徴とするサーバ・システム。
【請求項２】
請求項１に記載のサーバ・システムにおいて、
前記相性診断データ生成手段は、受信した相性診断のための情報をもとに性格診断を行い、性格診断の結果を相性診断データとし、
前記相手方メールアドレス取得手段は、前記性格診断の結果を表示した画面も入力したユーザの端末に送信し、
前記相性診断実行手段は、受信した情報をもとに性格診断を行い、性格診断の結果を相性診断データとするとともに、前記性格診断の結果を表示した画面も該相手方ユーザ端末に送信する
ことを特徴とするサーバ・システム。
【請求項３】
請求項１又は２に記載のサーバ・システムにおいて、
前記相性診断実行手段は、前記相性診断の結果を、電子メール又は特定のＵＲＬの画面により通知する
ことを特徴とするサーバ・システム。
【請求項４】
複数のユーザの端末と、ユーザ間の相性診断を実行するサーバとが、電気通信回線網を介して接続している相性診断システムにおける、サーバ・システムによる相性診断方法であって、
相性診断に用いる相性診断データを記憶する相性診断データ記憶手段を有し、
ユーザの端末からの送信要求に応じて、相性診断のための情報を入力させる情報入力画面を送信し、該情報入力画面に入力された相性診断のための情報を該ユーザの端末から受信する相性診断情報取得ステップと、
前記受信した相性診断のための情報をもとに前記ユーザの相性診断データを生成し、前記相性診断データ記憶手段に格納する相性診断データ生成ステップと、
前記ユーザに相性診断の相手方ユーザの電子メールアドレスを少なくとも１つ入力させるメールアドレス入力画面を該ユーザの端末に送信し、該メールアドレス入力画面に入力された相手方ユーザのメールアドレスを前記ユーザの端末から受信する相手方メールアドレス取得ステップと、
前記ユーザの識別情報を付加した、相性診断のための情報入力画面のＵＲＬを少なくとも記載した相性診断勧誘メールを生成し、前記受信した相手方ユーザのメールアドレス宛に送信する相性診断勧誘メール送信ステップと、
相手方ユーザの端末から前記ユーザの識別情報を付加したＵＲＬによる、相性診断のための情報を入力させる情報入力画面の送信要求があると、相性診断のための情報を入力させる情報入力画面及び新たな相手方のメールアドレスを入力させるメールアドレス入力画面を該相手方ユーザの端末に送信し、該情報入力画面に入力された該相手方ユーザの相性診断のための情報を該相手方ユーザの端末から受信し、前記相性診断のための情報をもとに前記相手方ユーザの相性診断データを生成し、前記相性診断データ記憶手段に格納した後、前記相性診断データ記憶手段に記憶している前記ユーザの相性診断データ及び前記相手方ユーザの性格診断データをもとに前記ユーザと前記相手方ユーザとの相性診断を実行し、その結果を前記ユーザ及び前記相手方ユーザの端末にそれぞれ通知する相性診断実行ステップと
を備えることを特徴とする相性診断方法。
【発明の詳細な説明】
【０００１】
【発明の属する技術分野】
本発明は、コンピュータを用いた相性診断に関するものであり、特に、インターネットなどの電気通信回線網を用いた相性診断に関するものである。
【０００２】
【背景技術】
最近は、インターネット上のウェブサイトにおいてたくさんのサービスが行われている。占いや性格診断や相性診断などもこれらのインターネット上において提供されているサービスの１つである。
そのようなインターネット上において提供されている従来の相性診断などには、一人ひとりが診断のための質問に答えたり、ユーザの名前や誕生日等の個人情報を入力し相性診断を行うサービスがある。しかしながら、これらのサービスは相性を占いたい複数のユーザが、相性診断のための質問事項にその場で同時に答えたりしなければならないか、相性診断する材料が名前や生年月日、血液型など単純なものでしかなかった。
他のサービスには、個人の性格などの情報を登録し、登録されているデータの中から相性がいい人を探す「マッチング」のサービスなどがあるが、相性診断を行うシステムが相性診断の結果を同時に双方に返すというのは、今までになかった。
【０００３】
【発明が解決しようとする課題】
本発明の目的は、インターネット上のユーザの相性診断等を行うとき、相性診断の相手と、メール送信を用いて非同期で行うことができることである。
【０００４】
【課題を解決するための手段】
上記目的を達成するために、本発明は、複数のユーザの端末と、ユーザ間の相性診断を実行するサーバとが、電気通信回線網を介して接続している相性診断システムのサーバ・システムであって、相性診断に用いる相性診断データを記憶する相性診断データ記憶手段を有し、ユーザの端末からの送信要求に応じて、相性診断のための情報を入力させる情報入力画面を送信し、該情報入力画面に入力された相性診断のための情報を該ユーザの端末から受信する相性診断情報取得手段と、前記受信した相性診断のための情報をもとに前記ユーザの相性診断データを生成し、前記相性診断データ記憶手段に格納する相性診断データ生成手段と、前記ユーザに相性診断の相手方ユーザの電子メールアドレスを少なくとも１つ入力させるメールアドレス入力画面を該ユーザの端末に送信し、該メールアドレス入力画面に入力された相手方ユーザのメールアドレスを前記ユーザの端末から受信する相手方メールアドレス取得手段と、前記ユーザの識別情報を付加した、相性診断のための情報入力画面のＵＲＬを少なくとも記載した相性診断勧誘メールを生成し、前記受信した相手方ユーザのメールアドレス宛に送信する相性診断勧誘メール送信手段と、相手方ユーザの端末から前記ユーザの識別情報を付加したＵＲＬによる、相性診断のための情報を入力させる情報入力画面の送信要求があると、相性診断のための情報を入力させる情報入力画面及び新たな相手方のメールアドレスを入力させるメールアドレス入力画面を該相手方ユーザの端末に送信し、該情報入力画面に入力された該相手方ユーザの相性診断のための情報を該相手方ユーザの端末から受信し、前記相性診断のための情報をもとに前記相手方ユーザの相性診断データを生成し、前記相性診断データ記憶手段に格納した後、前記相性診断データ記憶手段に記憶している前記ユーザの相性診断データ及び前記相手方ユーザの性格診断データをもとに前記ユーザと前記相手方ユーザとの相性診断を実行し、その結果を前記ユーザ及び前記相手方ユーザの端末にそれぞれ通知する相性診断実行手段とを備えることを特徴とする。
これにより、相性診断の判断材料に用いるためのユーザに対する質問の回答とユーザ情報をデータベースに登録しておき、相性を占いたい相手に勧誘のメールを送って相手に参加してもらい、登録データを用いて相性診断を行うことができる。そして、相性診断したい新たな相手も手軽に勧誘でき、利用者の輪を広げることも可能である。
前記相性診断データ生成手段は、受信した相性診断のための情報をもとに性格診断を行い、性格診断の結果を相性診断データとし、前記相手方メールアドレス取得手段は、前記性格診断の結果を表示した画面も入力したユーザの端末に送信し、前記相性診断実行手段は、受信した情報をもとに性格診断を行い、性格診断の結果を相性診断データとするとともに、前記性格診断の結果を表示した画面も該相手方ユーザ端末に送信してもよい。
前記相性診断実行手段は、前記相性診断の結果を、電子メール又は特定のＵＲＬの画面により通知してもよい。
【０００５】
また、本発明は、複数のユーザの端末と、ユーザ間の相性診断を実行するサーバとが、電気通信回線網を介して接続している相性診断システムのにおける、サーバ・システムによる相性診断方法であって、相性診断に用いる相性診断データを記憶する相性診断データ記憶手段を有し、ユーザの端末からの送信要求に応じて、相性診断のための情報を入力させる情報入力画面を送信し、該情報入力画面に入力された相性診断のための情報を該ユーザの端末から受信する相性診断情報取得ステップと、前記受信した相性診断のための情報をもとに前記ユーザの相性診断データを生成し、前記相性診断データ記憶手段に格納する相性診断データ生成ステップと、前記ユーザに相性診断の相手方ユーザの電子メールアドレスを少なくとも１つ入力させるメールアドレス入力画面を該ユーザの端末に送信し、該メールアドレス入力画面に入力された相手方ユーザのメールアドレスを前記ユーザの端末から受信する相手方メールアドレス取得ステップと、前記ユーザの識別情報を付加した、相性診断のための情報入力画面のＵＲＬを少なくとも記載した相性診断勧誘メールを生成し、前記受信した相手方ユーザのメールアドレス宛に送信する相性診断勧誘メール送信ステップと、相手方ユーザの端末から前記ユーザの識別情報を付加したＵＲＬによる、相性診断のための情報を入力させる情報入力画面の送信要求があると、相性診断のための情報を入力させる情報入力画面及び新たな相手方のメールアドレスを入力させるメールアドレス入力画面を該相手方ユーザの端末に送信し、該情報入力画面に入力された該相手方ユーザの相性診断のための情報を該相手方ユーザの端末から受信し、前記相性診断のための情報をもとに前記相手方ユーザの相性診断データを生成し、前記相性診断データ記憶手段に格納した後、前記相性診断データ記憶手段に記憶している前記ユーザの相性診断データ及び前記相手方ユーザの性格診断データをもとに前記ユーザと前記相手方ユーザとの相性診断を実行し、その結果を前記ユーザ及び前記相手方ユーザの端末にそれぞれ通知する相性診断実行ステップとを備えることを特徴とする。
【０００６】
【発明の実施の形態】
本発明のシステムは、図１に示したような構成で、インターネット等の電気通信回線を用いて行うサービスを提供する相性診断システムである。このシステムは、図１において、ユーザがインターネット１０に接続されている端末上のブラウザ３２，３４からサーバ２０上に構築しているウェブサイトにアクセスすることによりユーザの性格診断等を行い、その結果をサーバ２０内のデータベース２２に登録しておく。そして、相性診断をしたい相手（他のユーザ）にメールを送る。相手が性格診断を行った場合は、保存されている性格診断の結果を用いて他のユーザとの相性診断を行う。このため、相手が時間をおいて相性診断のための質問事項に回答しても（即ち非同期で回答しても）診断結果を得ることができる。相性診断を受けた双方のユーザには結果が出たという旨のメールを送信する。そのためにいつでも相性診断の結果を閲覧することが可能となる。
この相性診断システムについて、ユーザＡとユーザＢが相性診断をする場合を例に、図２のシーケンス図および図３〜図８のユーザの操作画面を参照して以下に詳細に説明する。
【０００７】
図２は相性診断システムのシーケンス図である。インターネット上に構築した相性診断システムを、図２のシーケンス図に示したステップで説明していく。
まず、ユーザＡはサーバ２０にある相性診断のページにアクセスする（Ｓ１０２）。サーバ２０は相性診断の判断材料に用いるために、ユーザＡに対して性格診断をするための質問項目をユーザＡに送信する（Ｓ１０３）。ユーザＡ上のブラウザには、例えば図３のような性格診断を行うための質問および回答するための画面を表示する。ユーザＡに対する質問項目３１０には、性格診断をするための質問が書かれており、ラジオボタンを用いて回答を選択できるようになっている。回答した後に次のページに進むボタン３１２を押すと、質問項目に対するユーザＡの回答がサーバ２０に送信される（Ｓ１０４）。サーバ２０はユーザＡに対して、ユーザＡの個人情報（氏名、生年月日、メールアドレス等）を入力するための画面を送信する（Ｓ１０５）。ユーザＡ上のブラウザには図４のユーザの個人情報を入力する画面が表示される。ここではユーザの姓名を入れるテキストボックス４１２、診断結果の表示等に用いたいニックネームを登録するためのテキストボックス４１４、ユーザの生年月日を登録するためのプルダウンメニュー４１６、ユーザの性別を選択するラジオボタン４１８、ユーザの電子メールアドレスを入力するためのテキストボックス４２０が表示される。ユーザＡはここで自分の情報を入力し、その後に診断を実行させるボタン４２２を押し、サーバ２０にユーザ情報を送信する（Ｓ１０６）。
【０００８】
サーバ２０は入力された情報をもとにユーザＡの性格診断を行う。性格診断を行う方法としては既存の診断方法をもとに、サーバ２０のＣＧＩプログラムによって実行し、その結果をサーバ２０上のデータベース２２に登録する。また、ユーザＡに対してもその結果を送信する（Ｓ１０８）。このとき、ユーザＡのブラウザ上には、例えば図５に示すような性格診断の結果を表示する画面が表示される。この図５にはユーザＡの性格診断をした結果である、「他人・自分に対する厳しさ」、「他人に対しての思いやり」、「性格的な緻密さ」等の部分的な性格の評価を数値で表したものの棒グラフとその説明５１２、診断結果を元にしたアドバイスや総合評価等のメッセージ５１４が表示されている。これにより、ユーザＡは自分の性格診断の結果を知ることができる。また、ユーザＡが相性診断をしたい相手を入力するために、ユーザＡに対し図６のような相性診断をしたい相手のアドレスの入力画面を送信する（Ｓ１０８）。この図６のように、入力画面には、相性を占いたい相手の電子メールアドレスを入力するためのテキストボックス６１０がいくつか（図６に示した例では５つ）表示されている。ユーザＡは、相性診断をしたい相手の電子メール・アドレスをこのテキストボックス６１０に入力して、サーバ２０に送信するための送信ボタン６２０を押す。これによりユーザＡが入力したメールアドレスがサーバ２０に送信される（Ｓ１１０）。
サーバ２０はユーザＡが入力したメールアドレスに対して、ユーザＡとの相性診断を勧誘するメールを送信する（Ｓ１１２）。ユーザＡに対しては、図７のようなユーザＢに勧誘のメールを送信したという旨の画面を送信する（Ｓ１１４）。この図７の画面に、ユーザＡと相性診断を行うことのできるページのＵＲＬを表示することができる。ユーザＡはこのＵＲＬを用いることにより、サーバ２０から送信される勧誘のメールだけでなく、他の方法を用いての勧誘もできる。この詳細は後述する。なお、自分との相性診断を行えるＵＲＬの通知は、図７の画面に限らず、例えば図６の画面でもよい。
【０００９】
ユーザＢが図８のようなサーバ２０より送られてきた勧誘メールに気付き、メールに書かれているＵＲＬにアクセスする（Ｓ１１６）ことで、ユーザＢは相性診断のページにアクセスできる。このＵＲＬには情報８１０が含まれており、サーバ２０はこの情報８１０より、誰から紹介されたユーザかを知ることができる。
ユーザＢが相性診断のページにアクセスしたら、前に説明したステップＳ１０３〜Ｓ１０６と同様に、サーバ２０はユーザＢに対し、性格診断の質問項目の画面を送信し（Ｓ１１７）、ユーザＢは質問の回答を送信する（Ｓ１１８）。次にサーバ２０はユーザＢに対してユーザ情報の入力の画面を送信し（Ｓ１１９）、ユーザＢはサーバ２０より受信した入力画面でユーザ情報を入力し、サーバ２０に送信する（Ｓ１２０）。
【００１０】
サーバ２０は入力された情報をもとにユーザＢの性格診断を行う。その結果をサーバ２０上のデータベース２２に保存し、ユーザＢに対してその結果を送信する（Ｓ１２２）。ユーザＢのブラウザ上にはユーザＡのときと同様に図５の性格診断の結果を表示する画面が表示される。また、サーバ２０は上述のＵＲＬの情報８１０によりユーザＡからの紹介であることがわかっているので、データベース２２上のユーザＡとユーザＢの性格診断結果をもとに、ユーザＡとユーザＢの相性診断の結果を表した画面である図９をユーザＢに送信する（Ｓ１２２）。図９には相性診断をしたユーザ名（姓名やニックネーム等）、生年月日、星座、性別等のユーザ情報９１０と相性診断結果９２０が表示される。また、直接相性診断結果を表示しなくても、相性診断結果を表示するページのＵＲＬをメールやブラウザ上の表示によりユーザＢに知らせてもよい。そのようにすれば、ユーザＢは後々に診断結果ページにアクセスして見ることができる。
ユーザＢと他のユーザの相性診断ができるように、サーバ２０はユーザＢに対しても、図６のような相性診断をしたい相手のアドレスの入力画面も送信する（Ｓ１２２）。ユーザＢはユーザＡ同様に他のユーザのアドレスを記入して、サーバ２０が他のユーザにメールを送信することで勧誘することができる。
【００１１】
サーバ２０はユーザＡとユーザＢの相性診断の結果が出たので、ユーザＡに対し相性診断の結果が出たという旨のメールを送信する（Ｓ１２４）。メールを見たユーザＡはメールに記されているＵＲＬで指定されている相性診断の結果ページにアクセスすることができる（Ｓ１２６）。なお、メールに記載されている相性診断結果のページＵＲＬには付加情報８１０が含まれており、サーバ２０はその付加情報によってユーザＡのアクセス時にユーザＡとユーザＢの相性診断の結果と表示画面を送信する（Ｓ１２８）。
【００１２】
図７の画面で通知されたＵＲＬを用いることによって、サーバ２０の勧誘のメール以外にも、自分で相性診断を勧誘することができる。例えば個人のホームページ等から前記ＵＲＬにリンクしたり、メールの中に前記ＵＲＬを記述し、メールの受取人にアクセスしてもらう等である。
図１０（ａ）はユーザＡ所有のホームページを示した図である。この図１０（ａ）のページにはユーザＡとの相性診断を行うページにリンクしてアクセスできるようにしたボタン１０１０が表示されている。このページに訪れたユーザは、ボタン１０１０をクリックすることにより、ユーザＡとの相性診断を行うことができる。
図１０（ｂ）はユーザＡが送信したメールを示した図である。この図１０（ｂ）のメールにはユーザＡとの相性診断を行うページにアクセスできるＵＲＬが記述されており、このメールを受け取ったユーザはこのＵＲＬにアクセスすることでユーザＡとの相性診断を行うことができる。電子メールの書名欄に記述しておくとよい。
以上のように、ホームページに訪れた人や、メールをメーリングリストに投稿をして読者を勧誘することにより、上述のユーザＢに相性診断をしてもらうだけでなく、不特定の相手との相性診断も行うことができる。
【００１３】
本発明による相性診断は以上のようにして実施される。この特徴としては、入力結果をデータベースに蓄えておき、データベース上の情報を他のユーザとの診断に再利用できるため、その場に相性診断をしたい相手がいなくても診断ができることである。また、診断したい相手には電子メールで手軽に勧誘でき、利用者の輪を広げることも可能である。
なお、上述の実施形態では、ユーザＡとユーザＢに対しては相性診断の結果をブラウザ上に表示して知らせたが、診断結果をメールにして、サーバからユーザＡとユーザＢに送信するようにしてもよい。
【００１４】
また、図６のような相性診断をしたい相手のアドレスの入力画面では、相性を占いたい相手の電子メールアドレスを入力するのみであるが、以下の入力項目をさらに設けることにより、いろいろな効果が得られる。
［紹介者の名前、電子メールアドレス］
サーバは図４の画面にある、ユーザの姓名を入れるテキストボックス４１２、診断結果の表示等に用いたいニックネームを登録するためのテキストボックス４１４に入力されたユーザ名を他のユーザを勧誘するメールの勧誘者としてメール内に記述するが、勧誘しようとするユーザは勧誘メール内の名前や電子メールアドレスを改めて設定し、記述することができる。
［勧誘したい相手の名前］
相手のアドレスのみならず、相手の名前（またはニックネーム等）を入力することによって、勧誘メール内に勧誘された相手の名前を記述することができる。
［勧誘したい相手の名前の敬称］
勧誘したい相手の名前の前や後に付ける敬称を記入できるテキストボックスを設けることにより、勧誘メール内での勧誘された相手の名前に敬称を付けることができる。
［勧誘メールに使用する言語］
システムに用意したいくつかの言語を、プルダウンメニュー等で選択できるようにしておき、勧誘したいユーザは選択設定することができる。これにより、勧誘メールを日本語のみならず他言語で表記することもできるし、勧誘されたユーザは、その言語で性格診断や相性診断を実施することもできる。
［紹介者からのメッセージ］
テキストボックスを設け、その中にメッセージ（紹介文等）を記述することにより、システムに用意された定型文によるものではなく、紹介者のメッセージを勧誘メールに記述することができる。また、システムが用意した定型文に加え、紹介者のメッセージを勧誘メール内に追記することもできる。
【００１５】
【発明の効果】
本発明により、インターネット上のユーザの相性診断等を行うとき、相性診断の相手と、メール送信を用いて非同期で行うことができる。
【図面の簡単な説明】
【図１】  本発明の実施形態の１つを示す図である。
【図２】  相性診断システムのシーケンス図である。
【図３】  性格診断および相性診断のための質問画面である。
【図４】  ユーザの個人情報を入力する画面である。
【図５】  性格診断の結果を表示する画面である。
【図６】  相性診断をしたい相手のアドレスの入力画面である。
【図７】  相性診断をしたい相手にメールを送信した旨を伝える画面である。
【図８】  相性診断システムが送信する勧誘メールを示した画面である。
【図９】  相性診断の結果を示した画面である。
【図１０】  相性診断を勧誘する、他の例を示した画面である。
【符号の説明】
１０            インターネット
２０            サーバ
２２            データベース
３２，３４        ユーザ（ブラウザ）
３１０            性格診断のための質問項目
３１２            次ページに進むボタン
４１２            ユーザの姓名を入力するテキストボックス
４１４            ユーザのニックネームを入力するテキストボックス
４１６            ユーザの誕生日を入力するプルダウンメニュー
４１８            ユーザの性別を選択するラジオボタン
４２０            ユーザの電子メールを入力するテキストボックス
４２２            性格診断を実行するボタン
５１２            性格診断結果の評価の棒グラフとその説明
５１４            性格診断した結果の総評メッセージ
６１０            相性診断をしたい相手の電子メールアドレスを入力するテキストボックス
６２０            送信ボタン
８１０            ＵＲＬ内の情報
９１０            相性診断をしたユーザの情報
９２０            相性診断結果
１０１０          ユーザＡとの相性診断を行うページにアクセスするボタン
【図１】
0004187398.tif 000002
【図２】
0004187398.tif 000003
【図３】
0004187398.tif 000004
【図４】
0004187398.tif 000005
【図５】
0004187398.tif 000006
【図６】
0004187398.tif 000007
【図７】
0004187398.tif 000008
【図８】
0004187398.tif 000009
【図９】
0004187398.tif 000010
【図１０】
0004187398.tif 000011